(57)【要約】【課題】脳活動情報の検出と脳への刺激とを同時に行うことが可能な双方向性記録刺激電極および脳活動記録システムを実現すること。【解決手段】ＥＣｏＧ電極１００は、フレキシブル基板１０２上に形成され、生体の脳において発生した皮質脳波信号を検出する薄膜状電極１１２と、フレキシブル基板１０２上に実装され、脳に対して光を照射するためのＬＥＤ光源１１４とを備える。【選択図】図１
2014123329.tif 000002
【特許請求の範囲】
【請求項１】
生体の頭蓋内に設置される双方向性記録刺激電極であって、
基板と、
前記基板上に形成され、前記生体の脳において発生した皮質脳波信号を１または複数の地点で検出するための薄膜状電極と、
前記基板上に実装され、前記脳の１または複数の地点に対して光を照射するための光源と
を備えることを特徴とする双方向性記録刺激電極。
【請求項２】
前記１または複数の地点の各々に対し、１つのユニットが配置されており、当該１つのユニットは、１対の前記薄膜状電極と１つの前記光源とを含んでいる
ことを特徴とする請求項１に記載の双方向性記録刺激電極。
【請求項３】
前記１つの光源は、前記１対の薄膜状電極の間に配置されている
ことを特徴とする請求項２に記載の双方向性記録刺激電極。
【請求項４】
前記基板は透明であり、
前記薄膜状電極は、
前記基板の前記脳側となる面に形成されており、
前記光源は、
前記基板の前記頭蓋側となる面に実装されている
ことを特徴とする請求項１から３のいずれか１項に記載の双方向性記録刺激電極。
【請求項５】
前記基板は、フレキシブル基板であり、
前記光源は、ＬＥＤ光源である
ことを特徴とする請求項１から４のいずれか１項に記載の双方向性記録刺激電極。
【請求項６】
請求項１から５のいずれか１項に記載の双方向性記録刺激電極と、
前記双方向性記録刺激電極が備える光源を制御する発光制御手段と、
前記双方向性記録刺激電極が備える薄膜状電極によって検出された皮質脳波信号を記憶部に記録する記録手段と
を備えることを特徴とする脳活動記録システム。
【請求項７】
前記記憶部に記録された前記皮質脳波信号に基づいて、前記生体の意図を予測する予測手段
をさらに備えることを特徴とする請求項６に記載の脳活動記録システム。
【発明の詳細な説明】
【技術分野】
【０００１】
本発明は、脳活動情報の検出と脳への刺激とを行うことが可能な双方向性記録刺激電極および脳活動記録システムに関する。
【背景技術】
【０００２】
従来、世界中において、ＢＭＩ（Brain Machine Interface）技術の研究が盛んに行われている。ＢＭＩ技術とは、生体の脳と外部機器とを接続する技術のことであり、脳から読み取った脳活動情報に基づいて、生体の意図を予測（「デコーディング」とも呼ばれる）し、その予測結果に応じてデバイスを制御するというものである。これにより、生体は、例えば、ある部位の動作を脳でイメージしただけで、その部位に代替するデバイスを遠隔操作することが可能となる。このため、ＢＭＩ技術は、例えば、事故や病気によって失われた運動機能や、認知感覚機能、意思伝達機能等を、再建することが可能な技術として、実用化の期待が高まっている。
【０００３】
ここで、従来のＢＭＩ研究においては、剣山状電極の先端を脳内部に刺入することにより、脳活動情報を検出する手法が用いられていた。しかしながら、脳内においては、剣山状電極が異物と判断され、剣山状電極に対する免疫反応が生じてしまう。このため、上記従来の手法では、時間が経過するにつれて剣山状電極の検出性能が低下し、長期間安定して脳活動情報を記録することができないといった問題が生じていた。
【０００４】
そこで、このような問題を解決すべく、従来のＢＭＩ研究においては、複数の非刺入型のＥＣｏＧ（Electrocorticogram：皮質脳波）電極を、大脳皮質表面に留置することにより、複数地点の脳活動情報を検出する手法が考案されている。
【０００５】
例えば、下記特許文献１には、大脳皮質表面の複数の地点にＥＣｏＧ電極を配置し、当該複数の地点で計測された電気的特性に基づいて、患者が伝えようとしている視覚イメージを特定する技術が開示されている。
【０００６】
また、下記特許文献２には、複数の電極が配置された網状のフレキシブル基板を備えた生体電極アレイが開示されている。
【０００７】
このようなＥＣｏＧ電極を用いた技術によれば、剣山状電極と比べて脳への侵襲性が低いため、生体の頭蓋内に長期間留置しても、その検出性能が殆ど低下しないという効果が得られている。
【先行技術文献】
【特許文献】
【０００８】
【特許文献１】特開２０１０−２５７３４３号公報（公開日：2010年11月11日）
【特許文献２】特開２０１１−３０６７８号公報（公開日：2011年2月17日）
【発明の概要】
【発明が解決しようとする課題】
【０００９】
しかしながら、上記従来のＥＣｏＧ電極は、脳活動情報の検出と脳への刺激とを同時に行うことができない。よって、上記従来のＥＣｏＧ電極を用いた場合、脳への刺激を行うためには、（１）脳活動情報の検出と脳への刺激とに同一の電極を用いるか、または、（２）脳への刺激を行うための追加の装置を頭蓋内に設置する必要がある。上記（１）を採用した場合、脳活動情報の検出と脳への刺激とを交互に行う必要があり、脳活動情報の検出と脳への刺激とに時間差が生じるため、脳への刺激の影響を、高い精度で脳活動情報に反映させることができない。また、上記（２）を採用した場合、頭蓋内に配置する装置数が増加するため、コストが増加したり、生体への負担が増加したりすることとなる。
【００１０】
本発明は、上記の問題に鑑みてなされたものであり、脳活動情報の検出と脳への刺激とを同時に行うことが可能な双方向性記録刺激電極および脳活動記録システムを実現することにある。
【課題を解決するための手段】
【００１１】
上記した課題を解決するため、本発明に係る双方向性記録刺激電極は、生体の頭蓋内に設置される双方向性記録刺激電極であって、基板と、前記基板上に形成され、前記生体の脳において発生した皮質脳波信号を１または複数の地点で検出するための薄膜状電極と、前記基板上に実装され、前記脳の１または複数の地点に対して光を照射するための光源とを備えることを特徴とする。
【００１２】
上記双方向性記録刺激電極によれば、薄膜状電極とは別に、光源を備えているため、脳の１または複数の地点に対する光刺激と、脳の１または複数の地点における脳活動情報の検出とを、同時に行うことができる。このため、上記双方向性記録刺激電極によれば、脳への光刺激の影響を、高い精度で脳活動情報に反映させることができる。
【００１３】
特に、上記双方向性記録刺激電極は、薄膜状電極と光源とが同一の基板上に設けられており、追加の装置を必要としないため、コストが増加したり、生体への負担が増加したりすることなく、上記光刺激と上記検出とを同時に行うことができる。
【００１４】
上記双方向性記録刺激電極において、前記１または複数の地点の各々に対し、１つのユニットが配置されており、当該１つのユニットは、１対の前記薄膜状電極と１つの前記光源とを含んでいることが好ましい。
【００１５】
上記構成によれば、光刺激する位置と、皮質脳波信号を検出する位置とを、実質的に同じ位置とすることができる。このため、上記双方向性記録刺激電極によれば、脳への光刺激の影響を、高い精度で脳活動情報に反映させることができる。
【００１６】
上記双方向性記録刺激電極において、前記１つの光源は、前記１対の薄膜状電極の間に配置されていることが好ましい。
【００１７】
上記構成によれば、１つの地点において、光刺激された地点を中心とする対称的な２つの皮質脳波信号を検出することができる。このため、本実施形態のＥＣｏＧ電極１００は、各地点における皮質脳波信号の精度を高めることができる。
【００１８】
上記双方向性記録刺激電極において、前記基板は透明であり、前記薄膜状電極は、前記基板の前記脳側となる面に形成されており、前記光源は、前記基板の前記頭蓋側となる面に実装されていることが好ましい。
【００１９】
上記構成によれば、光源から発生したノイズの、薄膜状電極への影響を抑制することができる。また、上記構成によれば、基板の領域を有効に利用することで、基板を小型化することができる。
【００２０】
上記双方向性記録刺激電極において、前記基板は、フレキシブル基板であり、前記光源は、ＬＥＤ光源であることが好ましい。
【００２１】
上記構成によれば、フレキシブル基板を採用したことにより、薄型化および自在な湾曲が可能となり、よって、低侵襲性且つ高性能な双方向性記録刺激電極を実現することができる。また、上記構成によれば、ＬＥＤ光源を採用したことにより、双方向性記録刺激電極において、光源の小型化、高輝度化、低消費電力化、高密度化を実現することができる。
【００２２】
また、本発明に係る脳活動記録システムは、上記双方向性記録刺激電極と、前記双方向性記録刺激電極が備える光源を制御する発光制御手段と、前記双方向性記録刺激電極が備える薄膜状電極によって検出された皮質脳波信号を記憶部に記録する記録手段とを備えることを特徴とする。
【００２３】
上記脳活動記録システムによれば、上記双方向性記録刺激電極と同様の効果を奏することができる、脳活動記録システムを実現することができる。
【００２４】
上記脳活動記録システムにおいて、前記記憶部に記録された前記皮質脳波信号に基づいて、前記生体の意図を予測する予測手段をさらに備えることが好ましい。
【００２５】
上記構成によれば、上記双方向性記録刺激電極から得られた皮質脳波信号に基づいて、生体の意図を予測することができるため、低コスト且つ低侵襲性でありながらも、多チャンネルによる多様な検査、および、高精度な皮質脳波信号に基づく高精度な予測処理を実現することができる。
【００２６】
なお、本書において、「生体の意図」とは、例えば、思考、感情、感覚、身体動作等、生体において脳活動を伴う事象全般を意味する。
【発明の効果】
【００２７】
本発明によれば、脳活動情報の検出と脳への刺激とを同時に行うことが可能な双方向性記録刺激電極および脳活動記録システムを実現することができる。
【図面の簡単な説明】
【００２８】
【図１】本発明の実施形態に係るＥＣｏＧ電極の構成を示す。
【図２】本発明の実施形態に係るＥＣｏＧ電極において、フレキシブル基板の上面（頭蓋側となる面）に配置されている構成部材を図示したものであり、フレキシブル基板の下面（脳側となる面）に配置されている構成部材の図示を省略したものである。
【図３】本発明の実施形態に係るアダプタの構成を示す。
【図４】本発明の実施形態に係る脳活動記録システムの構成を示す。
【発明を実施するための形態】
【００２９】
以下、本発明の実施形態について、図面を用いて説明する。
【００３０】
〔ＥＣｏＧ電極１００の構成〕
まず、図１を参照して、本発明の実施形態に係るＥＣｏＧ電極１００の構成について説明する。図１は、本発明の実施形態に係るＥＣｏＧ電極１００の構成を示す。図１（ａ）は、ＥＣｏＧ電極１００の全体の構成を示す。図１（ｂ）は、ＥＣｏＧ電極１００の一部（図１（ａ）において点線で囲んだ部分）の構成を拡大して示す。
【００３１】
図１に示すＥＣｏＧ電極１００は、生体（例えば、ヒト、サル等）の頭蓋内（頭蓋と脳との間）に留置され、生体の脳と外部機器（図示省略）とを接続するためのインタフェース装置である。具体的には、ＥＣｏＧ電極１００は、生体の脳から発せられた脳活動情報（皮質脳波信号）を検出して、当該脳活動情報を外部機器へ出力することが可能であるとともに、外部機器からの制御によって、生体の脳に対する光刺激を行うことが可能となっている。このＥＣｏＧ電極１００は、例えば、神経科学分野における電気生理学的研究に利用可能であり、特に、上述したＢＭＩ技術において好適に利用することが可能である。
【００３２】
図１に示すＥＣｏＧ電極１００は、フレキシブル基板１０２の各々の面に、構成部材が設置されている。このため、図１においては、上面（頭蓋側となる面）に配置されている構成部材が実線で示されており、下面（脳側となる面）に配置されている構成部材が点線で示されている。なお、図１において、スルーホールを白抜きの円で示している。また、図１において、各寸法の単位は「ｍｍ」である。
【００３３】
図１に示すように、ＥＣｏＧ電極１００は、フレキシブル基板１０２、電極部１００Ａ、コネクタ１２０、リファレンス電極１３０、およびグラウンド電極１４０を備えている。電極部１００Ａ、コネクタ１２０、リファレンス電極１３０、およびグラウンド電極１４０は、１枚のフレキシブル基板１０２上に形成されている。
【００３４】
（フレキシブル基板１０２）
フレキシブル基板１０２は、薄型且つフィルム状の部材であり、自在に湾曲させることが可能となっている。これにより、フレキシブル基板１０２は、脳の表面に沿って変形し、複数の電極の各々を、より確実に脳の表面に接触させることが可能となっている。例えば、フレキシブル基板１０２には、ポリイミド樹脂等が用いられる。
【００３５】
本実施形態のＥＣｏＧ電極１００は、フレキシブル基板１０２の薄型化により、生体適合性が高められ、脳内への侵襲的影響がより少なくなっている。本実施形態のＥＣｏＧ電極１００は、生体の頭蓋内に長期間（１年程度）留置しても、その検出性能が殆ど低下せず、よって、意図を予測する計算モデル（デコーダ）を殆ど変更する必要がなかった、という良好な実験結果が得られている。
【００３６】
（電極部１００Ａ）
電極部１００Ａは、フレキシブル基板１０２において、複数のユニット１１０が並べて設置されている部分である。図１に示す例では、フレキシブル基板１０２に対して、１２個（６個×２例）のユニット１１０（ユニット１１０Ａ〜１１０Ｌ）が並べて設置されている。これにより、ＥＣｏＧ電極１００は、脳の１２個所の地点に対して、光刺激と皮質脳波信号の検出とを同時に行うことが可能となっている。
【００３７】
なお、ユニット１１０の設置数および設置位置は、図１に示すものに限らない。ＥＣｏＧ電極１００は、ユニット１１０の設置数および設置位置を適宜変更することで、検出対象範囲を自在に変更することができる。特に、ＥＣｏＧ電極１００は、配線パターンの一部として各薄膜状電極１１２を形成可能なため、容易にユニットの構成を変更することが可能となっている。
【００３８】
（リファレンス電極１３０）
リファレンス電極１３０は、対応する配線によって、コネクタ１２０の対応する端子に接続されている。これにより、ＥＣｏＧ電極１００は、リファレンス電極１３０によって検出されたリファレンス電圧を、上記対応する配線および上記対応する端子を介して、外部機器（図示省略）へ出力することが可能となっている。
【００３９】
（グラウンド電極１４０）
グラウンド電極１４０は、対応する配線によって、コネクタ１２０の対応する端子に接続されている。これにより、ＥＣｏＧ電極１００は、グラウンド電極１４０によって検出されたグラウンド電圧を、上記対応する配線および上記対応する端子を介して、外部機器（図示省略）へ出力することが可能となっている。
【００４０】
〔ユニット１１０の構成〕
ここで、図１（ｂ）を参照して、本発明の実施形態に係る各ユニット１１０の構成について説明する。図１（ｂ）は、ユニット１１０Ｇを代表例として、その構成を示しているが、他のユニット１１０も同様の構成を有している。
【００４１】
図１（ｂ）に示すように、１つのユニット１１０は、１対（２つ）の薄膜状電極１１２と、１つのＬＥＤ光源１１４とを含んで構成されている。
【００４２】
（薄膜状電極１１２）
各薄膜状電極１１２は、脳から発せられた皮質脳波信号（脳活動情報）を検出するためのものである。各薄膜状電極１１２は、対応する配線によって、コネクタ１２０の対応する端子に接続されている。これにより、ＥＣｏＧ電極１００は、薄膜状電極１１２によって検出された皮質脳波信号を、上記対応する配線および上記対応する端子を介して、外部機器（図示省略）へ出力することが可能となっている。
【００４３】
（ＬＥＤ光源１１４）
各ＬＥＤ光源１１４は、脳に対して光を照射することにより、脳内に光刺激を与えるためのものである。各ＬＥＤ光源１１４は、対応する配線によって、コネクタ１２０の対応する端子に接続されている。これにより、各ＬＥＤ光源１１４は、上記対応する配線および上記対応する端子を介して、外部機器（図示省略）からの制御が可能となっている。例えば、脳神経細胞に与える反応体としてチャネルロドプシンが用いられる場合、各ＬＥＤ光源１１４には、チャネルロドプシンに反応する青色の光を発するものが用いられる。
【００４４】
ユニット１１０において、上記１対の薄膜状電極１１２は、１．０５ｍｍ程度の間隔を有して互いに対向するように配置されている。そして、ユニット１１０において、上記１つのＬＥＤ光源１１４は、上記１対の薄膜状電極１１２の間に配置されている。
【００４５】
各薄膜状電極１１２には、直径１．１５ｍｍの小型且つ半円形状のものを用いている。また、ＬＥＤ光源１１４には、上記１対の薄膜状電極１１２間に収まる程度に小型のものが用いられている。これにより、図１（ｂ）に示すように、１つのユニット１１０のサイズは、図中の左右幅が１．１５ｍｍ、図中の前後幅が２．２０ｍｍに収まっており、大幅に小型化されている。
【００４６】
なお、図１（ｂ）に示す例では、各薄膜状電極１１２は、直径１．１５ｍｍの半円形状を有しているが、薄膜状電極１１２の形状およびサイズは、これに限定するものではない。
【００４７】
〔ＥＣｏＧ電極１００が奏する効果〕
このように、本実施形態のＥＣｏＧ電極１００は、複数の薄膜状電極１１２に加えて、複数のＬＥＤ光源１１４が、同一のフレキシブル基板１０２上に実装されている。これにより、本実施形態のＥＣｏＧ電極１００は、脳の複数の地点に対する光刺激と、脳の複数の地点における皮質脳波信号の検出とを、同時に行うことができる。このため、本実施形態のＥＣｏＧ電極１００によれば、脳の広範囲に対して光刺激および皮質脳波信号の検出を行うことができるうえ、脳への光刺激の影響を、高い精度で脳活動情報に反映させることができる。
【００４８】
特に、本実施形態のＥＣｏＧ電極１００において、複数ＬＥＤ光源１１４の各々と、複数の電極の各々に対して、配線および端子が独立して設けられている。これにより、本実施形態のＥＣｏＧ電極１００は、複数のチャンネルによる光刺激と、複数のチャンネルによる皮質脳波信号の検出とを、行うことができ、特に、各チャンネルを独立して制御することが可能となっている。
【００４９】
また、本実施形態のＥＣｏＧ電極１００は、全ての構成部材（複数の薄膜状電極１１２、複数のＬＥＤ光源１１４、リファレンス電極１３０、グラウンド電極１４０、コネクタ１２０の各端子、および各配線）が、同一のフレキシブル基板１０２上に設けられており、すなわち、全ての構成部材が一体化されている。これにより、本実施形態のＥＣｏＧ電極１００は、コストが増加したり、生体への負担が増加したりすることなく、これら全ての構成部材の取り扱いおよび頭蓋内への設置を、一括して行うことが可能となっている。
【００５０】
特に、上記各電極（薄膜状電極１１２、リファレンス電極１３０、および、グラウンド電極１４０）は、各配線と同様に、薄膜状且つ導電性を有する部材（例えば、銅膜）から形成されている。このため、上記各電極は、配線パターンの一部として、各配線とともに一括して形成することが可能となっている。これにより、本実施形態のＥＣｏＧ電極１００は、製造コストを抑制することが可能となっており、さらに、レイアウト変更にも柔軟に対応することが可能となっている。
【００５１】
また、本実施形態のＥＣｏＧ電極１００は、上記各電極を薄膜状としたことにより、従来の剣山状電極を用いた場合と比べて、脳内への侵襲的影響が格段と小さくなっている。それ故、本実施形態のＥＣｏＧ電極１００は、時間経過による検出性能の低下およびデコーディング性能の低下が殆ど生じなく、よって、従来の剣山状電極を用いた構成と比べて、上記各電極およびデコーダの維持費用を大幅に削減することができる。
【００５２】
また、本実施形態のＥＣｏＧ電極１００は、リファレンス電極およびグランド電極が頭蓋内に留置されるため、神経活動の記録時に発生するノイズを大幅に低減することが可能となり、その結果、日時を問わず安定した脳活動記録が実現可能となっている。
【００５３】
また、本実施形態のＥＣｏＧ電極１００は、１つの地点に対して２つの薄膜状電極１１２が配置されているため、光刺激を行う地点と皮質脳波信号を検出する地点とを実質的に同一とすることができるうえ、１つの地点に関する２つの皮質脳波信号を検出することができる。このため、本実施形態のＥＣｏＧ電極１００は、各地点における皮質脳波信号の精度を高めることができる。
【００５４】
例えば、ＬＥＤ光源１１４の発光に伴い発生したノイズは、上記２つの皮質脳波信号の双方に対して同様に重畳されることとなる。このため、外部機器側においては、上記２つの皮質脳波信号を比較することにより、当該２つの皮質脳波信号に含まれている上記ノイズ成分を容易に特定および除去することができる。したがって、本実施形態のＥＣｏＧ電極１００は、皮質脳波信号の精度を容易に高めることができる。
【００５５】
また、本実施形態のＥＣｏＧ電極１００は、小型の薄膜状電極１１２および小型ＬＥＤ光源１１４を用いたため、単位面積あたりの電極密度および光刺激の密度を高めることが可能となっている。例えば、本実施形態のＥＣｏＧ電極１００は、１２個のユニット１１０および配線を、電極部１００Ａ内に集約しつつ、当該電極部１００Ａのサイズが、図１中の左右幅が９．２０ｍｍ、図１中の前後幅が２４．４０ｍｍとなっており、当該電極部１００Ａの小型化が実現されている。
【００５６】
なお、本実施形態のＥＣｏＧ電極１００は、基板としてフレキシブル基板を用いているが、これに限定するものではない。また、本実施形態のＥＣｏＧ電極１００は、光源としてＬＥＤ光源を用いているが、これに限定するものではない。
【００５７】
〔フレキシブル基板１０２の各面の構成〕
ここで、図２を参照して、ＥＣｏＧ電極１００のより具体的な構成を説明する。図２は、本発明の実施形態に係るＥＣｏＧ電極１００において、フレキシブル基板１０２の上面（頭蓋側となる面）に配置されている構成部材を図示したものであり、フレキシブル基板１０２の下面（脳表面側となる面）に配置されている構成部材の図示を省略したものである。
【００５８】
本実施形態のＥＣｏＧ電極１００において、各電極（薄膜状電極１１２、リファレンス電極１３０、および、グラウンド電極１４０）は、フレキシブル基板１０２の下面（脳表面側となる面）に設置されており、ＬＥＤ光源１１４は、フレキシブル基板１０２の上面（頭蓋側となる面）に設置されている。
【００５９】
すなわち、本実施形態のＥＣｏＧ電極１００は、上記各電極の設置面と、各ＬＥＤ光源１１４の設置面とを、異ならせている。これにより、本実施形態のＥＣｏＧ電極１００は、ＬＥＤ光源１１４から発生したノイズの、上記各電極への影響が抑制されている。
【００６０】
図２は、フレキシブル基板１０２の上面の構成を示すものであるため、各ＬＥＤ光源１１４が図示されているが、上記各電極は図示されていない。よって、図２からも、本実施形態のＥＣｏＧ電極１００において、上記各電極が上記下面に形成されており、各ＬＥＤ光源１１４が上記上面に形成されていることがわかる。さらに、図１において、各ＬＥＤ光源１１４は実線にて図示されているが、上記各電極は点線にてされている。よって、図１からも、本実施形態のＥＣｏＧ電極１００において、上記各電極が上記下面に形成されており、各ＬＥＤ光源１１４が上記上面に形成されていることがわかる。
【００６１】
上記構成により、頭蓋内において、各ＬＥＤ光源１１４は、フレキシブル基板１０２よりも頭蓋側に配置されることとなるが、フレキシブル基板１０２は透明であるため、ＬＥＤ光源１１４から発せられた光は、フレキシブル基板１０２を通過して、脳に照射されることとなる。
【００６２】
〔アダプタ１５０〕
次に、図３を参照して、本発明の実施形態に係るアダプタ１５０について説明する。図３は、本発明の実施形態に係るアダプタ１５０の構成を示す。図３に示すアダプタ１５０は、ＥＣｏＧ電極１００を外部機器に接続させるために、ＥＣｏＧ電極１００と外部機器との間に介在するものである。アダプタ１５０は、一端（ＥＣｏＧ電極１００側の端部）にコネクタ１６０が形成されており、他端（外部機器側の端部）にコネクタ１７０が形成されている。例えば、コネクタ１６０は、ハーネス（図示省略）を介して、ＥＣｏＧ電極１００のコネクタ１２０に接続される。また、コネクタ１７０は、直接的に、外部機器の接続ポート（図示省略）に接続される。
【００６３】
コネクタ１６０およびコネクタ１７０には、複数の電極に対応する複数の端子、および、複数のＬＥＤ光源１１４に対応する複数の端子が形成されている。コネクタ１６０の各端子は、コネクタ１７０の対応する端子と、配線によって接続されている。すなわち、アダプタ１５０には、ＥＣｏＧ電極１００と同様に、複数の電極に対応する複数の配線、および、複数のＬＥＤ光源１１４に対応する複数の配線が、それぞれ形成されている。これにより、ＥＣｏＧ電極１００は、当該アダプタ１５０を介して外部機器に接続された場合であっても、上記外部機器から、複数のチャンネルによる脳活動情報の検出、および、複数のチャンネルによる脳への光刺激を行うことが可能となっている。
【００６４】
ここで、アダプタ１５０は、ＥＣｏＧ電極１００と同様に、フレキシブル基板の各々の面に、配線が形成されている。これにより、アダプタ１５０においては、フレキシブル基板の領域が有効に利用され、フレキシブル基板の小型化が実現されている。
【００６５】
図３においては、図１と同様に、上面（頭蓋側となる面）に配置されている構成部材が実線で示されており、下面（脳側となる面）に配置されている構成部材が点線で示されている。なお、図３において、スルーホールを白抜きの円で示している。また、図３において、各寸法の単位は「ｍｍ」である。
【００６６】
なお、本実施形態では、アダプタ１５０およびハーネスを介して、ＥＣｏＧ電極１００を外部機器に接続する構成としているが、ＥＣｏＧ電極１００と外部機器との接続形態は、これに限らない。例えば、ＥＣｏＧ電極１００のコネクタを直接的に外部機器に接続する構成としてもよい。
【００６７】
〔ＥＣｏＧ電極１００の適用例〕
次に、図４を参照して、ＥＣｏＧ電極１００の脳活動記録システムへの適用例を説明する。図４は、本発明の実施形態に係る脳活動記録システム１０の構成を示す。図４に示す脳活動記録システム１０は、ＥＣｏＧ電極１００および脳活動記録装置２００を備えている。この脳活動記録システム１０は、ＥＣｏＧ電極１００によって検出された脳活動情報を、脳活動記録装置２００によって記録するシステムである。
【００６８】
（脳活動記録装置２００の概要）
脳活動記録装置２００は、ＥＣｏＧ電極１００によって検出された脳活動情報（皮質脳波信号）を記録する装置である。脳活動記録装置２００は、アダプタ１５０（図３参照）によってＥＣｏＧ電極１００と接続されており、ＥＣｏＧ電極１００を制御することが可能となっている。さらに、脳活動記録装置２００は、記録された脳活動情報に基づいて、生体の意図を予測することも可能となっている。
【００６９】
上記を実現するため、脳活動記録装置２００は、プロセッサ、メモリ、ハードディスク、外部接続ポート、各種処理プログラム（例えば、ＥＣｏＧ電極１００を制御する制御プログラム、上記予測を行う予測プログラム等）、出力デバイス（例えば、ディスプレイ、プリンタ、スピーカ等）、等を備えている。例えば、上記外部接続ポートには、アダプタ１５０が接続される。これにより、ＥＣｏＧ電極１００は、アダプタ１５０を介して脳活動記録装置２００に接続され、脳活動記録装置２００からの制御（皮質脳波信号の検出制御、ＬＥＤ光源１１４の発光制御）が可能となる。
【００７０】
（脳活動記録装置２００の機能）
ここで、脳活動記録装置２００の各機能について説明する。図４に示すように、脳活動記録装置２００は、発光制御部２０２、脳活動情報記録部２０４、脳活動情報記憶部２０６、および予測部２０８を備えている。
【００７１】
（発光制御部２０２）
発光制御部２０２は、発光チャンネル毎（すなわち、ＬＥＤ光源１１４毎）に、対応するＬＥＤ光源１１４の発光タイミングを制御する。例えば、脳活動記録装置２００においては、発光チャンネル毎の発光パターンが、試験プログラム等に予め定められている。そして、発光制御部２０２は、上記発光パターンに従って、複数のＬＥＤ光源１１４の各々の発光タイミングを制御する。発光対象とされたＬＥＤ光源１１４には、脳活動記録装置２００から所定の駆動電圧が印加され、これにより、当該ＬＥＤ光源１１４は、発光することとなる。
【００７２】
（脳活動情報記録部２０４、脳活動情報記憶部２０６）
脳活動情報記録部２０４は、検出チャンネル毎（すなわち、薄膜状電極１１２毎）に、対応する薄膜状電極１１２によって検出された脳活動情報（具体的には、皮質脳波信号の電位）を、時系列に、脳活動情報記憶部２０６に記録する。
【００７３】
（予測部２０８）
予測部２０８は、脳活動情報記憶部２０６に記録された脳活動情報に基づいて、生体の意図を予測する。例えば、脳活動記録装置２００においては、意図を予測する計算モデル（デコーダ）として、生体の意図毎に、脳活動情報の電気特性モデルが予め対応付けられている。予測部２０８は、上記記録された脳活動情報の電気特性に近似する、上記予め定められている電気特性モデルを選択する。そして、予測部２０８は、上記選択された電気特性モデルに対応付けられている生体の意図を、上記記録された脳活動情報が表す生体の意図であると、予測する。多点計測された脳活動情報に基づく、より具体的な予測方法については、従来から知られている手法（例えば、上記特許文献１，２参照）を用いることができる。
【００７４】
脳活動記録装置２００は、予測部２０８による予測結果を、その利用目的に応じて、メモリまたはハードディスクに記録したり、出力デバイス（例えば、ディスプレイ、プリンタ、スピーカ等）によって出力したり、対応するデバイスの制御に用いたりすることができる。
【００７５】
なお、脳活動記録装置２００において、発光制御部２０２、脳活動情報記録部２０４、および予測部２０８は、例えば、メモリまたはハードディスクに記憶された処理プログラムを、上記プロセッサが実行することにより、実現することが可能である。また、脳活動情報記憶部２０６は、例えば、メモリまたはハードディスクによって、実現することが可能である。
【００７６】
〔補足説明〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７７】
本発明は、医療、研究等において、脳活動情報を記録する脳活動情報記録システムに利用可能であり、特に、上記脳活動情報に基づいて生体の意図を予測する脳活動情報記録システム等に好適に利用することができる。
【符号の説明】
【００７８】
１００  ＥＣｏＧ電極（双方向性記録刺激電極）
１０２  フレキシブル基板（基板）
１１０  ユニット
１１２  薄膜状電極
１１４  ＬＥＤ光源（光源）
１２０  コネクタ
１３０  リファレンス電極
１４０  グラウンド電極
１５０  アダプタ
１６０  コネクタ
１７０  コネクタ
２００  脳活動記録装置
２０２  発光制御部（発光制御手段）
２０４  脳活動情報記録部（記録手段）
２０６  脳活動情報記憶部（記憶部）
２０８  予測部（予測手段）
【図１】
2014123329.tif 000003
【図２】
2014123329.tif 000004
【図３】
2014123329.tif 000005
【図４】
2014123329.tif 000006